【手続補正書】
【提出日】平成28年6月16日(2016.6.16)
【手続補正１】
【補正対象書類名】明細書
【補正対象項目名】発明の名称
【補正方法】変更
【補正の内容】
【発明の名称】ボイスコイルモーター、カメラ及び携帯電話
【手続補正２】
【補正対象書類名】特許請求の範囲
【補正対象項目名】全文
【補正方法】変更
【補正の内容】
【特許請求の範囲】
【請求項１】
ベース、
前記ベース上のボビン、
前記ボビンに巻線されたコイルブロック、
前記ベースと結合されるカバー、
前記ボビンを支持し、初期位置で前記ボビンは前記ベースの間に第１ギャップを形成し、前記初期位置で前記ボビンと前記カバーとの間に第２ギャップを形成する弾性部材、を含み、
前記ボビンは前記初期位置で前記ベースから離隔され、前記カバーから離隔されて停止状態にあって、
前記コイルブロックに逆方向電流が印加される時、前記ボビンは前記ベースに近づく下方向に動くようになって、
前記コイルブロックに正方向電流が印加される時、前記ボビンは前記カバーに近づく上方向に動くようになって、
前記弾性部材は前記ボビンの上部に結合される上部弾性部材と前記ボビンの下部に結合される下部弾性部材を含み、
前記上部弾性部材と前記下部弾性部材は、各々前記ボビンと結合される内側弾性部と、前記内側弾性部の外側に配置される外側弾性部と、前記内側弾性部と前記外側弾性部とを連結する連結弾性部を含み、
前記上部弾性部材の前記内側弾性部は前記初期位置で前記外側弾性部より低い位置に配置され、前記下部弾性部材の前記内側弾性部は前記初期位置で前記外側弾性部より低い位置に配置されることを特徴とする、ボイスコイルモーター。
【請求項２】
前記下部弾性部材は前記コイルブロックを構成する電線の一側端部が連結される第１弾性部材と前記電線の他側端部が連結される第２弾性部材を含み、前記第１及び第２弾性部材は相互離隔していることを特徴とする、請求項１に記載のボイスコイルモーター。
【請求項３】
前記第１及び第２弾性部材を通して前記コイルブロックに電流が印加されることを特徴とする、請求項１または２に記載のボイスコイルモーター。
【請求項４】
前記ボビンは
前記コイルブロックに第１の値以上の正方向電流が印加された状態で前記カバーと接触し、前記ベースと接触しない第１の位置に配置され、
前記コイルブロックに第２の値以上の逆方向電流が印加された状態で前記カバーと接触しないで同時に前記ベースと接触する第２の位置に配置され、
前記コイルブロックに前記第１の値未満の正方向電流または前記第２の値未満の逆方向電流の間の電流が印加された状態で前記カバー及び前記ベースと接触しない第３の位置に配置されることを特徴とする、請求項１乃至３のうちいずれか一つに記載のボイスコイルモーター。
【請求項５】
前記コイルブロックに印加される電流が前記第１の値の正方向電流より増加する場合、前記第１の位置で移動しないで、
前記コイルブロックに印加される電流が前記第２の値の逆方向電流より増加する場合、前記第２の位置で移動しないで、
前記コイルブロックに印加される電流が前記第１の値の正方向電流または前記第２の値の逆方向電流範囲内で変化する場合、前記第３の位置で移動することを特徴とする、請求項４に記載のボイスコイルモーター。
【請求項６】
前記第３の位置は前記コイルブロックに印加される電流の値に対して線形性を有することを特徴とする、請求項４または５に記載のボイスコイルモーター。
【請求項７】
前記第３の位置は前記コイルブロックに印加される電流が前記第１の値と前記第２の値との間にある電流が０の時の位置を含み、前記線形性が維持されることを特徴とする、請求項６に記載のボイスコイルモーター。
【請求項８】
前記コイルブロックに電流が印加されない時、前記ボビンは停止状態にあって、前記コイルブロックに電流が印加される時、前記ボビンは前記停止状態で光軸について前記上方向または下方向に移動できることを特徴とする、請求項１乃至７のうちいずれか一つに記載のボイスコイルモーター。
【請求項９】
前記ベースの上面及び前記カバー内側面のうち少なくともある一つの面に設置される衝撃緩衝部材を含むことを特徴とする、請求項１乃至８のうちいずれか一つに記載のボイスコイルモーター。
【請求項１０】
前記ボビンは前記コイルブロックを固定するための段差を外周面の下段に有することを特徴とする、請求項１乃至９のうちいずれか一つに記載のボイスコイルモーター。
【請求項１１】
前記連結弾性部はジグザッグ状で曲がった線状の弾性部材であることを特徴とする、請求項１乃至１０のうちいずれか一つに記載のボイスコイルモーター。
【請求項１２】
前記外側弾性部が固定された状態で前記連結弾性部が伸縮することによって前記ボビンに対して重力が作用する方向に前記内側弾性部を移動させることができることを特徴とする、請求項１乃至１１のうちいずれか一つに記載のボイスコイルモーター。
【請求項１３】
前記ボビンの内側面には螺糸山が形成されたことを特徴とする、請求項１乃至１２のうちいずれか一つに記載のボイスコイルモーター。
【請求項１４】
レンズとイメージセンサーを含み、前記レンズと前記イメージセンサーとの間の距離を調整する請求項１乃至１３のうちいずれか一つに記載されたボイスコイルモーターを具備することを特徴とする、カメラ。
【請求項１５】
請求項１４に記載されたカメラを内蔵することを特徴とする、携帯電話。
【請求項１６】
貫通孔が用意された構造物と、
前記構造物の内部に配置されているボビンと、
前記ボビンに巻線されたコイルを含み、
前記ボビンは、
前記コイルに第１の値以上の正方向電流が印加された状態で前記構造物の上部と接触して、前記構造物の下部と接触しない第１の位置に配置され、
前記コイルに第２の値以上の逆方向電流が印加された状態で前記構造物の上部と接触しないで同時に前記構造物の下部と接触する第２の位置に配置され、
前記コイルに前記第１の値未満の正方向電流または前記第２の値未満の逆方向電流の間の電流が印加された状態で前記構造物と接触しない第３の位置に配置され、
前記コイルに印加される電流が前記第１の値の正方向電流より増加する場合、前記第１の位置で移動しないで、
前記コイルに印加される電流が前記第２の値の逆方向電流より増加する場合、前記第２の位置で移動しないで、
前記コイルに印加される電流が前記第１の値の正方向電流または前記第２の値の逆方向電流範囲内で変化する場合、前記第３の位置から移動して、
前記第３の位置は前記コイルに印加される電流の値に対して線形性を有することを特徴とする、ボイスコイルモーター。
【請求項１７】
前記第３の位置は前記コイルに印加される電流が前記第１の値と前記第２の値との間にある電流が０の時の位置を含み、前記線形性が維持されることを特徴とする、請求項１６に記載のボイスコイルモーター。
【請求項１８】
前記ボビンの下面に配置される下部弾性部材をさらに含み、前記下部弾性部材は前記ボビンと結合される内側弾性部と前記内側弾性部の外側に配置される外側弾性部と前記内側弾性部と前記外側弾性部を連結する連結弾性部を含むことを特徴とする、請求項１６または１７に記載のボイスコイルモーター。
【請求項１９】
前記下部弾性部材の前記内側弾性部が前記外側弾性部より低い位置に配置されることを特徴とする、請求項１８に記載のボイスコイルモーター。
【請求項２０】
前記ボビンの上面に配置される上部弾性部材をさらに含み、前記上部弾性部材は前記ボビンと結合される内側弾性部と前記内側弾性部の外側に配置される外側弾性部と前記内側弾性部と前記外側弾性部を連結する連結弾性部を含むことを特徴とする、請求項１６乃至１９のうちいずれか一つに記載のボイスコイルモーター。
【請求項２１】
前記上部弾性部材の前記内側弾性部が前記外側弾性部より低い位置に配置されることを特徴とする、請求項２０に記載のボイスコイルモーター。